(57)【要約】  カゴの配車制御を最適化できるエレベーター群管理装置を提供する。エレベーター群管理装置は、ＩＤを有するタグ２を携帯する利用者のエレベーター使用履歴を当該ＩＤと関連付けて示す履歴情報を含む動態履歴表を記憶する個人情報記憶部５１と、上昇希望者及び下降希望者のそれぞれの現在の人数及び総重量を階ごとに表す階別昇降希望表を記憶し、各カゴの現在の昇降方向及び余裕重量をカゴごとに表すカゴ別稼働管理表を記憶する共有メモリ６と、乗場に設けられたリーダ１によってタグ２のＩＤが読み取られた日時及び当該リーダ１の設置階に基づいて動態履歴表を更新し、動態履歴表及び予めＩＤと関連付けて個人情報記憶部５１に記憶されている利用者の体重情報に基づいて階別昇降希望表を更新する情報処理部５２と、階別昇降希望表及びカゴ別稼働管理表に基づいて各カゴの配車制御を行う配車制御部７と、を備えたものである。
2016103352.tif 000002
【特許請求の範囲】
【請求項１】
識別情報を有する識別体を携帯する利用者のエレベーター使用履歴を当該識別情報と関連付けて示す履歴情報を含む動態履歴表を記憶する個人情報記憶部と、
上昇希望者及び下降希望者のそれぞれの現在の人数及び総重量を階ごとに表す階別昇降希望表を記憶し、各カゴの現在の昇降方向及び余裕重量をカゴごとに表すカゴ別稼働管理表を記憶する共有メモリと、
乗場に設けられた読取部によって前記識別体の識別情報が読み取られた日時及び当該読取部の設置階に基づいて前記動態履歴表を更新し、前記動態履歴表及び予め識別情報と関連付けて前記個人情報記憶部に記憶されている利用者の体重情報に基づいて前記階別昇降希望表を更新する情報処理部と、
前記階別昇降希望表及び前記カゴ別稼働管理表に基づいて各カゴの配車制御を行う配車制御部と、
を備えたエレベーター群管理装置。
【請求項２】
前記動態履歴表に含まれる履歴情報は、移動日時、乗車階及び降車階を含んでおり、
前記情報処理部は、乗場に設けられた読取部によって前記識別体の識別情報が読み取られた際に、当該識別情報と関連付けられた過去の履歴情報のうち移動日時の時間帯が同じであるものにおいて降車階となった頻度が最も高い階と当該読取部の設置階との位置関係に基づいて前記階別昇降希望表を更新し、当該識別情報と関連付けられた過去の履歴情報のうち移動日時の時間帯が同じであるものが存在しない場合は予め設定された基準階と当該読取部の設置階との位置関係に基づいて前記階別昇降希望表を更新する請求項１に記載のエレベーター群管理装置。
【請求項３】
前記配車制御部は、前記階別昇降希望表において階に関連付けられている総重量が前記カゴ別稼働管理表においてカゴに関連付けられている余裕重量より大きい場合は、当該カゴを当該階に配車しない請求項１又は２に記載のエレベーター群管理装置。
【請求項４】
前記情報処理部は、前記識別体に設けられた操作部に対する操作に基づいて、前記階別昇降希望表における総重量を補正する請求項１から３のいずれか１項に記載のエレベーター群管理装置。
【発明の詳細な説明】
【技術分野】
【０００１】
本発明は、エレベーター群管理装置に関するものである。
【背景技術】
【０００２】
下記特許文献１には、エレベーターの群管理装置が記載されている。群管理装置は、乗場での待ち人数の予測及び各階での降車人数の予測を行う。群管理装置は、待ち人数の予測結果及び降車人数の予測結果に基づいて、待ち人数が乗り込めるカゴを配車する。
【先行技術文献】
【特許文献】
【０００３】
【特許文献１】日本特開２０１０−２０８７２６号公報
【発明の概要】
【発明が解決しようとする課題】
【０００４】
特許文献１に記載の群管理装置は、カゴに乗車する乗客の総重量を正確に検出しない。このため、乗客の総重量が配車されたカゴの積載量を超える場合、一部の乗客は当該カゴに乗車できない。【０００５】
本発明は、上記の課題を解決するためになされた。その目的は、カゴの配車制御を最適化できるエレベーター群管理装置を提供することである。
【課題を解決するための手段】
【０００６】
本発明に係るエレベーター群管理装置は、識別情報を有する識別体を携帯する利用者のエレベーター使用履歴を当該識別情報と関連付けて示す履歴情報を含む動態履歴表を記憶する個人情報記憶部と、上昇希望者及び下降希望者のそれぞれの現在の人数及び総重量を階ごとに表す階別昇降希望表を記憶し、各カゴの現在の昇降方向及び余裕重量をカゴごとに表すカゴ別稼働管理表を記憶する共有メモリと、乗場に設けられた読取部によって識別体の識別情報が読み取られた日時及び当該読取部の設置階に基づいて動態履歴表を更新し、動態履歴表及び予め識別情報と関連付けて個人情報記憶部に記憶されている利用者の体重情報に基づいて階別昇降希望表を更新する情報処理部と、階別昇降希望表及びカゴ別稼働管理表に基づいて各カゴの配車制御を行う配車制御部と、を備えたものである。
【発明の効果】
【０００７】
本発明に係るエレベーター群管理装置において、情報処理部は、識別体の識別情報が読み取られた日時及び当該読取部の設置階に基づいて動態履歴表を更新し、動態履歴表及び利用者の体重情報に基づいて階別昇降希望表を更新する。配車制御部は、階別昇降希望表及びカゴ別稼働管理表に基づいて各カゴの配車制御を行う。このため、本発明によれば、カゴの配車制御を最適化することができる。
【図面の簡単な説明】
【０００８】
【図１】本発明の実施の形態１におけるエレベーター群管理装置を備えたエレベーター群管理システムが適用される建物内の乗場を示す模式図である。
【図２】本発明の実施の形態１におけるエレベーター群管理装置を備えたエレベーター群管理システムの構成図である。
【図３】本発明の実施の形態１におけるエレベーター群管理装置のハードウェア構成図である。
【図４】本発明の実施の形態１における読取部の動作を示すフローチャートである。
【図５】本発明の実施の形態１におけるエレベーター群管理装置の動作を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１におけるエレベーター群管理装置を備えたエレベーター群管理システムが適用される建物内の乗場を示す模式図である。エレベーター群管理システムは、複数の階を備えた図示しない建物に適用される。エレベーターの乗場は、例えば、建物の各階に設けられている。エレベーター群管理システムは、複数のカゴを備えている。
【００１１】
図１には、アクティブタグリーダ１、アクティブタグ２及びエレベーターの利用者が示されている。アクティブタグリーダ１は、例えば、乗場の壁等に設けられている。アクティブタグリーダ１は、例えば、各階に１台ずつ設けられている。各利用者は、識別情報を有する識別体を所持している。識別情報は、識別体を特定するための情報である。実施の形態１では、利用者は、識別体としてアクティブタグ２を携帯している。アクティブタグリーダ１は、アクティブタグ２を検出する機能を有している。以下、アクティブタグリーダ１を「リーダ１」と略称する。以下、アクティブタグ２を「タグ２」と略称する。
【００１２】
図２は、実施の形態１におけるエレベーター群管理装置を備えたエレベーター群管理システムの構成図である。図２に示すように、エレベーター群管理システムは、リーダ１、タグ２、エレベーター群管理装置３、各カゴ制御装置４を備えている。エレベーター群管理装置３は、動態管理部５、共有メモリ６及び配車制御部７を備えている。
【００１３】
リーダ１は、タグ２が有する識別情報を無線通信により読み取る読取部である。リーダ１は、リーダ内通信制御部１１、検出電波送信部１２、検出電波送信アンテナ１３、応答電波受信アンテナ１４、応答電波受信部１５、識別情報記憶部１６及び認証部１７を備えている。
【００１４】
タグ２は、識別情報としてＩＤを有している。タグ２は、検出電波受信アンテナ２１、検出電波受信部２２、タグ内通信制御部２３、応答電波送信部２４及び応答電波送信アンテナ２５を備えている。タグ２は、内蔵電子部品に電力を供給する電池２６を備えている。
【００１５】
各カゴ制御装置４は、カゴの昇降を制御する。各カゴ制御装置４は、例えば、複数のカゴのそれぞれに対応して設けられている。
【００１６】
動態管理部５は、個人情報記憶部５１及び情報処理部５２を備えている。動態管理部５は、リーダ１と接続されている。配車制御部７は、動態管理部５と接続されている。各カゴ制御装置４は、配車制御部７と接続されている。共有メモリ６は、動態管理部５及び配車制御部７と接続されている。
【００１７】
リーダ内通信制御部１１は、検出電波の送信を検出電波送信部１２に指示する。検出電波送信部１２は、リーダ内通信制御部１１からの指示に基づいて、検出電波送信アンテナ１３から検出電波を送信させる。検出電波送信アンテナ１３は、検出電波を送信する。検出電波受信アンテナ２１は、検出電波を受信する。検出電波受信部２２は、検出電波受信アンテナ２１により受信された検出電波の内容を解読する。タグ内通信制御部２３は、検出電波の解読情報を得た場合に、タグ２のＩＤを含む応答電波の送信を応答電波送信部２４に指示する。応答電波送信部２４は、応答電波送信アンテナ２５から応答電波を送信させる。応答電波送信アンテナ２５は、応答電波を送信する。応答電波受信アンテナ１４は、応答電波を受信する。応答電波受信部１５は、応答電波受信アンテナ１４により受信された応答電波の内容を解読する。リーダ内通信制御部１１は、応答電波の解読情報からＩＤを抽出する。このようにして、リーダ１は、タグ２が有するＩＤを無線通信により読み取る。リーダ１によるＩＤの読み取りは、例えば、利用者が乗場に進入すると行われる。つまり、リーダ１によるＩＤの読み取りは、カゴへの乗車時及びカゴからの降車時に行われる。
【００１８】
識別情報記憶部１６は、エレベーターの利用者として登録された人物が携帯しているタグ２のＩＤを記憶している。認証部１７は、応答電波の解読情報から抽出されたＩＤを識別情報記憶部１６に記憶されているＩＤと照合する。以下、応答電波の解読情報から抽出されたＩＤのうち、識別情報記憶部１６に記憶されているものを、「認証ＩＤ」と呼ぶ。
【００１９】
認証部１７は、照合結果を動態管理部５に送信する。照合結果は、例えば、認証ＩＤを含んでいる。照合結果は、認証ＩＤの読み取りが行われた日時を示す「日時情報」を含んでいる。「日時情報」は、乗車時の時刻又は降車時の時刻を示す。照合結果は、認証ＩＤを読み取ったリーダ１が設けられている階を示す「設置階情報」を含んでいる。「設置階情報」は、利用者がカゴに乗り込んだ乗車階又は利用者がカゴから降りた降車階を示す。「日時情報」及び「設置階情報」は、認証ＩＤと関連付けられている。
【００２０】
個人情報記憶部５１は、タグ２を携帯する利用者の個人情報を当該タグ２のＩＤと関連付けて保持しておくためのものである。個人情報記憶部５１は、例えば、動態履歴表及び体重情報等を記憶している。動態履歴表は、利用者がエレベーターを使って移動した履歴を示す履歴情報を含んでいる。体重情報は、利用者が携帯するタグ２のＩＤと関連付けられた当該利用者の体重を示す情報である。体重情報は、個人情報記憶部５１に予め記憶されている。
【００２１】
下記表１は、動態履歴表の一例を示している。表１に示すように、履歴情報は、ＩＤと関連付けられた「移動日時」、「乗車階」及び「降車階」を含んでいる。履歴情報は、ＩＤごと且つ１回の移動ごとに記憶されている。つまり、例えば、同一の利用者がエレベーターを使って３回移動した場合、３回分の履歴情報が個別に記憶されている。表１は、例えば、０００１というＩＤを有するタグ２を携帯する利用者が５月１２日の１３時に１０階から４階まで移動したことを示している。また、表１は、例えば、当該利用者が５月１２日の１５時に４階から１０階まで移動したことを示している。
【００２２】
【表１】
2016103352.tif 000003
【００２３】
情報処理部５２は、照合結果に基づいて動態履歴表を更新する。情報処理部５２は、１人の利用者の１回の移動に対応した１つの履歴情報を生成する。情報処理部５２は、照合結果に含まれている「日時情報」に基づいて履歴情報の「移動日時」を生成する。情報処理部５２は、照合結果に含まれている「設置階情報」に基づいて履歴情報の「乗車階」及び「降車階」を生成する。このようにして、利用者がエレベーターを使って移動した履歴が記録される。
【００２４】
共有メモリ６は、階別昇降希望表を記憶している。階別昇降希望表は、現在乗場でカゴの到着を待っている利用者に関する情報を階ごとに表すものである。
【００２５】
下記表２は、階別昇降希望表の一例を示している。表２に示すように、階別昇降希望表は、カゴを待つ利用者の現在の「人数」及び「総重量」を階ごとに表している。「総重量」は、カゴを待つ利用者の体重の合計値である。「人数」及び「総重量」は、上昇希望者のものと下降希望者のものとに分けられている。上昇希望者は、上側の階へ移動しようとしている利用者である。下降希望者は、下側の階へ移動しようとしている利用者である。
【００２６】
【表２】
2016103352.tif 000004
【００２７】
情報処理部５２は、照合結果及び個人情報記憶部５１に記憶されている内容に基づいて、階別昇降希望表を更新する。
【００２８】
情報処理部５２は、照合結果に含まれる認証ＩＤと関連付けられた過去の履歴情報のうち移動日時の時間帯が同じであるものを個人情報記憶部５１から取得する。情報処理部５２は、当該過去の履歴情報において降車階となった頻度が最も高い階を、当該認証ＩＤを有するタグ２を携帯する利用者の希望行先階として推定する。つまり、情報処理部５２は、当該利用者が過去に最も多く移動した階を当該利用者の希望行先階として推定する。情報処理部５２は、照合結果に含まれている「設置階情報」が示す乗車階と当該希望行先階との位置関係に基づいて、当該利用者の希望する昇降方向を判定する。つまり、情報処理部５２は、当該利用者の乗車時に当該認証ＩＤを読み取ったリーダ１の設置階と当該希望行先階との位置関係に基づいて、当該利用者が上昇希望者であるか下降希望者であるかを判定する。例えば、４階で乗車した利用者の希望行先階が１０階であると推定された場合、当該利用者は上昇希望者であると判定される。
【００２９】
なお、認証ＩＤと関連付けられた過去の履歴情報のうち移動日時の時間帯が同じであるものが存在しない場合、情報処理部５２は、当該リーダ１の設置階と予め設定された基準階との位置関係に基づいて、当該利用者が上昇希望者であるか下降希望者であるかを判定する。基準階は、例えば、外部への出入りが可能な階又は乗継階等である。
【００３０】
情報処理部５２は、例えば、認証ＩＤの数に基づいて「人数」を更新する。上昇希望者の「人数」は、認証ＩＤの総数のうち、上昇希望者であると判定された利用者の携帯するタグ２が有するＩＤの数である。下降希望者の「人数」は、認証ＩＤの総数のうち、下降希望者であると判定された利用者の携帯するタグ２が有するＩＤの数である。情報処理部５２は、個人情報記憶部５１に記憶されている体重情報のうち、認証ＩＤと関連付けられているものに基づいて、「総重量」を更新する。上昇希望者の「総重量」は、上昇希望者であると判定された利用者の携帯するタグ２が有する認証ＩＤと関連付けられている体重情報の合計値である。下降希望者の「総重量」は、下降希望者であると判定された利用者の携帯するタグ２が有する認証ＩＤと関連付けられている体重情報の合計値である。このようにして、階別昇降希望表が更新される。情報処理部５２は、階別昇降希望表を更新したことを配車制御部７に通知する。
【００３１】
共有メモリ６は、カゴ別稼働管理表を記憶している。カゴ別稼働管理表は、各カゴの現在の状態を表すものである。
【００３２】
下記表３は、カゴ別稼働管理表の一例を示している。表３に示すように、カゴ別稼働管理表は、「昇降方向」、「現在階」、「行先階」及び「余裕重量」をカゴごとに表している。「余裕重量」は、追加して積載可能な重量を示すものである。「余裕重量」は、例えば、現在カゴに乗車中の乗客の総重量と当該カゴの積載量との差である。
【００３３】
【表３】
2016103352.tif 000005
【００３４】
配車制御部７は、各カゴ制御装置４から各カゴの状態情報を受信する。状態情報は、昇降方向、現在階及び行先階等を含んでいる。配車制御部７は、各カゴの状態情報に基づいて、カゴ別稼働管理表における「昇降方向」、「現在階」及び「行先階」を更新する。また、配車制御部７は、例えば、照合結果、個人情報記憶部５１に記憶されている体重情報及び階別昇降希望表等に基づいて、カゴ別稼働管理表における「余裕重量」を更新する。
【００３５】
配車制御部７は、階別昇降希望表及びカゴ別稼働管理表に基づいて、各カゴの配車制御を行う。配車制御部７は、例えば、階別昇降希望表における上昇希望者及び下降希望者の人数に基づいて、対応する昇降方向のカゴを配車する。配車制御部７は、例えば、下降希望者が０人の階には下降するカゴを配車しない。配車制御部７は、例えば、階別昇降希望表において階に関連付けられている「総重量」とカゴ別稼働管理表においてカゴに関連付けられている「余裕重量」との差がより小さくなるようにカゴを配車する。配車制御部７は、例えば、階別昇降希望表において階に関連付けられている「総重量」がカゴ別稼働管理表においてカゴに関連付けられている「余裕重量」より大きい場合は、当該カゴを当該階に配車しない。配車制御部７は、各カゴ制御装置４に対し配車指示信号を送信する。各カゴ制御装置４は、配車指示信号に基づいて、カゴの昇降を制御する。
【００３６】
図３は、実施の形態１におけるエレベーター群管理装置のハードウェア構成図である。エレベーター群管理装置３は、プロセッサ６０及びメモリ６１を備えている。エレベーター群管理装置３の機能は、プロセッサ６０がメモリ６１に記憶されたプログラムを実行することにより、実現される。
【００３７】
図４は、実施の形態１における読取部の動作を示すフローチャートである。以下、図４を参照して、リーダ１によるＩＤの読み取り動作及び照合動作について説明する。
【００３８】
リーダ内通信制御部１１は、検出電波送信部１２に検出電波の送信を指示する（ステップＳ１０１）。検出電波送信部１２は、検出電波送信アンテナ１３から検出電波を送信させる（ステップＳ１０２）。このとき、検出電波の受信範囲内にタグ２が存在するか否かで続く動作が異なる（ステップＳ１０３）。つまり、例えば、リーダ１の電波範囲にタグ２を携帯する人物が居るか否かで続く動作が異なる。ステップＳ１０３において、検出電波の受信範囲内にタグ２が存在しない場合、ステップＳ１０１の処理が行われる。
【００３９】
ステップＳ１０３において、検出電波の受信範囲内にタグ２が存在する場合、検出電波受信部２２は、検出電波受信アンテナ２１により受信された検出電波の内容を解読する（ステップＳ１０４）。検出電波の解読情報を得たタグ内通信制御部２３は、タグ２のＩＤを含む応答電波の送信を応答電波送信部２４に指示する（ステップＳ１０５）。応答電波送信部２４は、応答電波送信アンテナ２５から応答電波を送信させる（ステップＳ１０６）。
【００４０】
応答電波受信部１５は、応答電波受信アンテナ１４により受信された応答電波の内容を解読する（ステップＳ１０７）。応答電波の解読情報を得たリーダ内通信制御部１１は、応答電波の解読情報からＩＤを抽出する（ステップＳ１０８）。認証部１７は、応答電波の解読情報から抽出されたＩＤを識別情報記憶部１６に記憶されているＩＤと照合し、照合結果を動態管理部５に送信する（ステップＳ１０９）。
【００４１】
図５は、実施の形態１におけるエレベーター群管理装置の動作を示すフローチャートである。以下、図５を参照して、エレベーター群管理装置３の動作を説明する。
【００４２】
リーダ１から照合結果を受信した情報処理部５２は、動態履歴表を更新する（ステップＳ２０１）。その後、情報処理部５２は、認証ＩＤと関連付けられた体重情報及び過去の同じ時間帯の履歴情報を取得する（ステップＳ２０２）。情報処理部５２は、過去の同じ時間帯の履歴情報が存在するか否か判定する（ステップＳ２０３）。
【００４３】
ステップＳ２０３において、過去の同じ時間帯の履歴情報が存在すると判定された場合、情報処理部５２は、利用者が過去に最も多く移動した階を当該利用者の希望行先階として階別昇降希望表を更新する（ステップＳ２０４）。情報処理部５２は、階別昇降希望表の更新を配車制御部７に通知する。階別昇降希望表の更新通知を受信した配車制御部７は、階別昇降希望表及びカゴ別稼働管理表に基づいて、各カゴ制御装置４に対して配車を指示する（ステップＳ２０５）。
【００４４】
ステップＳ２０３において、過去の同じ時間帯の履歴情報が存在しないと判定された場合、情報処理部５２は、基準階を当該利用者の希望行先階として階別昇降希望表を更新する（ステップＳ２０６）。情報処理部５２は、階別昇降希望表の更新を配車制御部７に通知する。
【００４５】
実施の形態１において、個人情報記憶部は、識別情報を有する識別体を携帯する利用者がエレベーターを使って移動した履歴を当該識別情報と関連付けて示す履歴情報を含む動態履歴表を記憶する。共有メモリ６は、上昇するカゴを乗場で待つ上昇希望者及び下降するカゴを当該乗場で待つ下降希望者のそれぞれの現在の人数及び総重量を階ごとに表す階別昇降希望表を記憶する。また、共有メモリ６は、各カゴの現在の昇降方向及び余裕重量をカゴごとに表すカゴ別稼働管理表を記憶する。情報処理部５２は、乗場に設けられた読取部によって識別体の識別情報が読み取られた日時及び当該読取部の設置階に基づいて動態履歴表を更新し、動態履歴表及び予め識別情報と関連付けて個人情報記憶部５１に記憶されている利用者の体重情報に基づいて階別昇降希望表を更新する。配車制御部７は、階別昇降希望表及びカゴ別稼働管理表に基づいて各カゴの配車制御を行う。つまり、エレベーター群管理装置３は、利用者の人数だけでなく、利用者のエレベーター使用履歴及び正確な体重情報に基づいて各カゴの配車制御を行う。このため、本発明によれば、カゴの配車制御を最適化できる。その結果、例えば、各利用者の待ち時間を短縮できる。また、例えば、利用者の希望する昇降方向とは進行方向が異なるカゴが配車されることを抑制できる。さらに、例えば、エレベーターの総合的な駆動時間の短縮による消費電力の削減を図ることができる。
【００４６】
実施の形態１において、情報処理部は、乗場に設けられた読取部によって識別体の識別情報が読み取られた際に、当該識別情報と関連付けられた過去の履歴情報のうち移動日時の時間帯が同じであるものにおいて降車階となった頻度が最も高い階と当該読取部の設置階との位置関係に基づいて階別昇降希望表を更新する。情報処理部は、当該識別情報と関連付けられた過去の履歴情報のうち移動日時の時間帯が同じであるものが存在しない場合は、予め設定された基準階と当該読取部の設置階との位置関係に基づいて階別昇降希望表を更新する。つまり、情報処理部５２は、利用者のエレベーター使用履歴に基づいて、利用者の希望行先階を推定する。また、情報処理部５２は、利用者の過去のエレベーター使用履歴が存在しない場合、行先階となる可能性が高い基準階を利用者の希望行先階の代わりとする。これにより、例えば、利用者の希望する昇降方向とは進行方向が異なるカゴが配車されることを抑制できる。
【００４７】
実施の形態１において、配車制御部は、階別昇降希望表において階に関連付けられている利用者の「総重量」がカゴ別稼働管理表においてカゴに関連付けられている「余裕重量」より大きい場合は、当該カゴを当該階に配車しない。これにより、例えば、カゴを待っていた利用者の一部しか乗車させられないカゴが配車されることを防止できる。
【００４８】
本発明における識別体には、例えば押しボタン等の操作部が設けられていてもよい。識別体は、利用者によって操作部に対する操作が行われると、当該利用者の希望する昇降方向及び当該利用者の体重情報等を変更するための情報を送信してもよい。情報処理部５２は、当該情報に基づいて階別昇降希望表を更新してもよい。つまり、情報処理部５２は、例えば、識別体に設けられた操作部に対する操作に基づいて、階別昇降希望表における「総重量」を補正する。これにより、例えば、利用者が重い荷物を携帯している場合等に、当該荷物の重量も含めて階別昇降希望表における「総重量」を更新できる。その結果、より適切なカゴの配車制御を実現することができる。
【００４９】
本発明において、エレベーター群管理装置３は、乗車時及び降車時における識別体と読取部との無線通信によって利用者のエレベーター使用履歴を取得する。このため、複数の利用者が同時に乗降したとしても、全員の正確なエレベーター使用履歴を漏れなく取得できる。これにより、高い精度で利用者の希望行先階を推定することが可能となる。
【００５０】
本発明における読取部は、エレベーターの乗場以外の場所にも設置されていてもよい。読取部は、例えば、建物内の通路及び扉等にも設置されていてもよい。この場合、乗場に設置された読取部が故障した際に、他の場所に設置された読取部に識別情報を読み取らせることでカゴの配車制御を実施することができる。
【産業上の利用可能性】
【００５１】
本発明に係るエレベーター群管理装置を備えたエレベーター群管理システムは、複数のカゴが設けられた建物に適用できる。
【符号の説明】
【００５２】
１  アクティブタグリーダ
２  アクティブタグ
３  エレベーター群管理装置
４  カゴ制御装置
５  動態管理部
６  共有メモリ
７  配車制御部
１１  リーダ内通信制御部
１２  検出電波送信部
１３  検出電波送信アンテナ
１４  応答電波受信アンテナ
１５  応答電波受信部
１６  識別情報記憶部
１７  認証部
２１  検出電波受信アンテナ
２２  検出電波受信部
２３  タグ内通信制御部
２４  応答電波送信部
２５  応答電波送信アンテナ
２６  電池
５１  個人情報記憶部
５２  情報処理部
６０  プロセッサ
６１  メモリ
【図１】
2016103352.tif 000006
【図２】
2016103352.tif 000007
【図３】
2016103352.tif 000008
【図４】
2016103352.tif 000009
【図５】
2016103352.tif 000010
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
識別情報を有する識別体を携帯する利用者のエレベーター使用履歴を当該識別情報と関連付けて示す履歴情報を含む動態履歴表を記憶する個人情報記憶部と、
上昇希望者及び下降希望者のそれぞれの現在の総重量を階ごとに表す階別昇降希望表を記憶し、各カゴの現在の昇降方向及び余裕重量をカゴごとに表すカゴ別稼働管理表を記憶する共有メモリと、
乗場に設けられた読取部によって前記識別体の識別情報が読み取られた日時及び当該読取部の設置階に基づいて前記動態履歴表を更新し、前記動態履歴表及び予め識別情報と関連付けて前記個人情報記憶部に記憶されている利用者の体重情報に基づいて前記階別昇降希望表を更新する情報処理部と、
前記階別昇降希望表及び前記カゴ別稼働管理表に基づいて各カゴの配車制御を行う配車制御部と、
を備えたエレベーター群管理装置。
【請求項２】
前記動態履歴表に含まれる履歴情報は、移動日時、乗車階及び降車階を含んでおり、
前記情報処理部は、乗場に設けられた読取部によって前記識別体の識別情報が読み取られた際に、当該識別情報と関連付けられた過去の履歴情報のうち移動日時の時間帯が同じであるものにおいて降車階となった頻度が最も高い階と当該読取部の設置階との位置関係に基づいて前記階別昇降希望表を更新し、当該識別情報と関連付けられた過去の履歴情報のうち移動日時の時間帯が同じであるものが存在しない場合は予め設定された基準階と当該読取部の設置階との位置関係に基づいて前記階別昇降希望表を更新する請求項１に記載のエレベーター群管理装置。
【請求項３】
前記配車制御部は、前記階別昇降希望表において階に関連付けられている総重量が前記カゴ別稼働管理表においてカゴに関連付けられている余裕重量より大きい場合は、当該カゴを当該階に配車しない請求項１又は２に記載のエレベーター群管理装置。
【請求項４】
前記情報処理部は、前記識別体に設けられた操作部に対する操作に基づいて、前記階別昇降希望表における総重量を補正する請求項１から３のいずれか１項に記載のエレベーター群管理装置。
【手続補正２】
【補正対象書類名】明細書
【補正対象項目名】０００６
【補正方法】変更
【補正の内容】
【０００６】
本発明に係るエレベーター群管理装置は、識別情報を有する識別体を携帯する利用者のエレベーター使用履歴を当該識別情報と関連付けて示す履歴情報を含む動態履歴表を記憶する個人情報記憶部と、上昇希望者及び下降希望者のそれぞれの現在の総重量を階ごとに表す階別昇降希望表を記憶し、各カゴの現在の昇降方向及び余裕重量をカゴごとに表すカゴ別稼働管理表を記憶する共有メモリと、乗場に設けられた読取部によって識別体の識別情報が読み取られた日時及び当該読取部の設置階に基づいて動態履歴表を更新し、動態履歴表及び予め識別情報と関連付けて個人情報記憶部に記憶されている利用者の体重情報に基づいて階別昇降希望表を更新する情報処理部と、階別昇降希望表及びカゴ別稼働管理表に基づいて各カゴの配車制御を行う配車制御部と、を備えたものである。
【国際調査報告】
2016103352.tif 000011
2016103352.tif 000012